(57)【要約】【課題】  本発明は荷物に貼る通常のラベル片の他に控え用として利用できるラベル部材を残すことが可能であり、且つ、汎用的なラベル貼着装置がそのまま使用できる構成のラベル連続体の提供を目的とする。【解決手段】  本発明は、剥離紙（３）の剥離面に接着剤層（２）を介して剥離可能に貼着してなる単位ラベル片（１）を多数配列したラベル連続体において、前記単位ラベル片（１）の配列に沿って帯状ラベル部（１０又は１１）を設け、前記帯状ラベル部（１０又は１１）は、前記単位ラベル片（１）と同一周期で区画されており、前記帯状ラベル部（１０又は１１）の各区画には対応する単位ラベル片（１）と関連付けられた識別コードが付されているラベル連続体により上記の課題を解決する。【選択図】  図１
2005115224.tif 000002
【特許請求の範囲】
【請求項１】
剥離紙の剥離面に接着剤層を介して剥離可能に貼着してなる単位ラベル片を多数配列してなるラベル連続体において、前記単位ラベル片の配列に沿って帯状ラベル部を設け、前記帯状ラベル部は、前記単位ラベル片と同一周期で区画されており、前記帯状ラベル部の各区画には対応する単位ラベル片と関連付けられた識別コードが付されていることを特徴とするラベル連続体。
【請求項２】
前記帯状ラベル部の各区画の境界には、折線または切取り予定線が設けられていることを特徴とする請求項１記載のラベル連続体。
【請求項３】
前記帯状ラベル部の各区画の境界ならびに前記剥離紙には、共通する折線または切取り予定線が設けられていることを特徴とする請求項２記載のラベル連続体。
【請求項４】
前記剥離紙に設けられた折線または切取り予定線の少なくとも一部に重なるように前記単位ラベル片が設けられていることを特徴とする請求項３記載のラベル連続体。
【請求項５】
前記単位ラベル片は、アイランド状に独立した形状であることを特徴とする請求項１から４何れか記載のラベル連続体。
【請求項６】
前記帯状ラベル部は、前記単位ラベル片の配列の左右両側に設けたことを特徴とする請求項１から４何れか記載のラベル連続体。
【発明の詳細な説明】
【技術分野】
【０００１】
本発明は、ラベル貼着装置によって荷物等へ貼着可能なラベル片を具備するラベル連続体に関する。
【背景技術】
【０００２】
配送業者は、配送物を管理するために機械読取可能な識別コード（例えば、バーコード、２次元コード、ＯＭＲ（Optical Mark Reader）用の英数文字など）の付された所謂配送伝票を利用している。  配送伝票は依頼主控え票、配送業者控え票（売上票）、取扱店控え票、配送物に貼付する貼付票、受取人に配送物を渡した証としての受領証明書を兼ねる配達票など各種役割を持つ複数の伝票が一体化され、前記各伝票には共通のユニークな識別コードが付されている。そして前記配送伝票に付された識別コードと、コンピュータ上で電子的に管理される顧客情報や配送物運行情報とが紐付けされている。
【０００３】
上記配送伝票はお届け先ごとに配送物の中身が異なるものに用いるのが一般的である。即ち、上記配送伝票は配送物ごとに大きさ、重量、配送物品の種類などの記入事項を伝票に記入し運用する一般的な場合を想定したものである。
【０００４】
他方、週刊誌や広告用パンフレットなどはお届け先が異なっていても同時期に配送する物品の中身は同じである。このような特定な条件下の配送物は上記のような一般的な配送伝票を用いずにバーコードラベルを配送物に貼って配送物の追跡することで配送状況の確認を行うことがなされている。  このような特定な条件下の配送物は例えば図４（ａ）のようなラベル連続体に代表されるバーコードラベルによる配送手段を用いることにより配送コストが安価であることから広く利用されつつある。
【０００５】
図４（ａ）は従来のラベル連続体の平面図を示している。図中、１はラベル連続体を構成する単位ラベル片、３は単位ラベル片１の裏面に塗布された接着剤層を介して単位ラベル片１を剥離可能に貼着支持する剥離紙、４１は単位ラベル片に付された識別コードである。図４（ａ）に示すラベル連続体は、最も単純な構成のもので、所謂バーコードラベルと呼ばれているものである。図４（ａ）を参照してバーコードラベルについて説明する。単位ラベル片１の表面には、配送業者の名称、電話番号、ロゴなどの固定情報がオフセット印刷方式などにより予め固定印刷されており、識別コード（例えばバーコード）を印字する欄は空白になっている。このような単位ラベル片を長尺の剥離紙上に多数配列させたものを用意し、前記識別コードを印字する欄に、コンピュータ上で管理された配送情報と紐付けされる識別情報に基づくバーコードをプリンター装置で印字する。
【０００６】
なお、図４（ａ）に示したバーコードラベルの形状は角丸の長方形状で、剥離紙３上にアイランド状に形成されている。このようなアイランド状にするためにはラベル基材に角丸の長方形状のスリット（切れ目）加工を施し、単位ラベル片１となる部分以外の不要部分を引き剥がして除去（粕上げ）する。（例えば特許文献１参照）
上記のようにして得られた角丸の長方形状のバーコードラベルを剥離紙から剥がして配送物に貼る。手貼りの場合もあるが、図５のようなラベル貼着装置を用いて単位ラベル片１を荷物５０に貼り付ける。
【０００７】
ここで、図５を用いてラベル貼着装置について説明する。ラベル貼着装置にはハンドラベラーと呼ばれる小型で簡易的なものから印字機構も備えた大規模で高速処理可能な自動ラベリング装置まで様々なものがあるが、剥離紙から単位ラベル片を剥がして荷物に貼る原理は全て共通である。  まず単位ラベル片１を長尺の剥離紙３上に多数配列させたロール状のラベルロール（ラベル連続体）をラベルロール部３０にセットする。ラベルロール部３０より多数の単位ラベル片１を流れ方向に配列した剥離紙３（ラベル連続体）は折返し部３１により流れ方向が図５矢印Ｋの方向に変えられる。このとき単位ラベル片１のラベル基材の剛性を剥離紙の剛性よりも強くしておくことで単位ラベル片１は剥離紙３から接着剤層とともに剥離し、図５矢印Ｌに沿って荷物５０に貼り付けられる。
【特許文献１】特開平４−１８２４３号公報    特許文献１はラベル連続体に関するもので、同文献にはラベルに対してサーマルヘッドで印字する際の課題を解決するために剥離台紙上のラベルの両端に帯を切れ目なく設けた点が記載されている。
【発明の開示】
【発明が解決しようとする課題】
【０００８】
しかしながら上述のような特定な配送物であっても配送システムは上記配送伝票を用いた一般の配送物と同じ配送システムを用いており、バーコード体系も同じである。従って、配送業者側でバーコードラベル（単位ラベル片１）に対応する控え用紙を別途用意し管理している。当該控え用紙へは配送物に貼付したラベルに関する情報を転記するために転記ミスが生ずるという配送分野特有の課題がある。
【０００９】
そこで図４（ｂ）、（ｃ）のようにバーコードラベルとなる単位ラベル片１（主ラベル）の他に、配送会社の控え用ラベル片２０、依頼主控え用のラベル片２１を設け、単位ラベル片１（主ラベル）への印字の際に同時に前記控え用ラベル片２０、２１に対しても識別コードを印字することが考えられる。図４（ｂ）は単位ラベル片１（主ラベル）の一辺に連設するように控えラベル片２０、２１を設けた例である。図４（ｃ）は単位ラベル片１（主ラベル）の左右にそれぞれ連設する控えラベル片２０、２１を設けた例である。図４（ｂ）、（ｃ）のようなバーコードラベルにおいては、控え用ラベル片２０、２１もラベル貼着装置で荷物に貼られてしまうという課題がある。
【００１０】
ラベル貼着装置を工夫して別途用意する控え用紙に控え用ラベル片２０、２１を選択的に貼ることも考えられるが一般的なラベル貼着装置が使用できないので、特別な機構を備えた特殊仕様のラベル貼着装置を用意することになり、ラベル貼着装置がコスト高になってしまうという課題がある。
【００１１】
そこで本発明は、荷物に貼る通常のラベル片（主ラベル）の他に控え用として利用できるラベル部材を残すことが可能であり、且つ、汎用的なラベル貼着装置がそのまま使用できる構成のラベル連続体の提供を目的とする。
【課題を解決するための手段】
【００１２】
本発明は、以下の各請求項に記載の手段により上記の課題を解決するものである。
【００１３】
（請求項１）  剥離紙（３）の剥離面に接着剤層（２）を介して剥離可能に貼着してなる単位ラベル片（１）（主ラベル）を多数配列したラベル連続体において、前記単位ラベル片（１）（主ラベル）の配列に沿って帯状ラベル部（１０又は１１）を設け、前記帯状ラベル部（１０又は１１）は、前記単位ラベル片（１）（主ラベル）と同一周期で区画されており、前記帯状ラベル部（１０又は１１）の各区画には対応する単位ラベル片（１）（主ラベル）と関連付けられた識別コードが付されていることを特徴とするラベル連続体。
【００１４】
（請求項２）  前記帯状ラベル部（１０又は１１）の各区画の境界には、折線または切取り予定線が設けられていることを特徴とする請求項１記載のラベル連続体。
【００１５】
（請求項３）  前記帯状ラベル部（１０又は１１）の各区画の境界ならびに前記剥離紙（３）には、共通する折線または切取り予定線が設けられていることを特徴とする請求項２記載のラベル連続体。
【００１６】
（請求項４）  前記剥離紙（３）に設けられた折線または切取り予定線の少なくとも一部に重なるように前記単位ラベル片（１）（主ラベル）が設けられていることを特徴とする請求項３記載のラベル連続体。
【００１７】
（請求項５）  前記単位ラベル片（１）（主ラベル）は、アイランド状に独立した形状であることを特徴とする請求項１から４何れか記載のラベル連続体。
【００１８】
（請求項６）  前記帯状ラベル部（１０又は１１）は、前記単位ラベル片（１）（主ラベル）の配列の左右両側に設けたことを特徴とする請求項１から４何れか記載のラベル連続体。
【００１９】
以上のような構成のラベル連続体を図５のようなラベル貼着装置にセットして単位ラベル片（１）（主ラベル）を荷物に貼付する。その際に帯状ラベル片（３）は折返し部（３１）で図５矢印Ｋの方向に剥離紙（３）に追従して折り返され、他方、単位ラベル片（１）（主ラベル）は折返し部（３１）で剥離紙（３）から図５矢印Ｌの方向に分離するので、剥離紙（３）上に帯状ラベル片（３）のみ残ることになる。
【発明の効果】
【００２０】
（１）本発明のラベル連続体によれば、汎用的なラベル貼着装置をそのまま使用して単位ラベル片（主ラベル）のみ荷物に貼ることができ、剥離紙上には当該単位ラベル片（主ラベル）と関連付けられた識別コードの付された帯状ラベル部が残るので、当該帯状ラベル部を控えとして利用できるという効果がある。
【００２１】
（２）本発明のラベル連続体によれば、ラベル連続体を製造する過程で不要部として剥離紙から取り除かれ廃棄されていたラベル基材を利用して控え用の帯状ラベル部を形成できるので資源が有効活用されるという効果がある。
【００２２】
（３）本発明のラベル連続体によれば、従来のラベル連続体への印字プロセスと同じ片面印字方式をそのまま利用して単位ラベル片（主ラベル）への印字と同時に控え用として利用する帯状ラベル部への印字ができるという効果がある。
【発明を実施するための最良の形態】
【００２３】
以下、本発明の実施の形態について図面を参照して説明する。
【００２４】
（第１実施形態）
図１（ａ）は本発明によるラベル連続体の第１の実施形態を示す平面図、図１（ｃ）は図１（ａ）のI−I矢視断面図、図１（ｂ）は図１（ａ）のII−II矢視断面図である。図中、１は単位ラベル片、２は単位ラベル片１の裏面に形成した接着剤層、３は剥離紙、１０、１１は単位ラベル片１の側部に設けられた帯状ラベル部、４１は単位ラベル片１に印字された識別コード、４２、４３は帯状ラベル部に印字された識別コード、５は帯状ラベル部に設けたミシン目である。
【００２５】
第１実施形態のラベル連続体においては、図１（ａ）（ｃ）に図示のように剥離紙３の剥離面に接着剤層２を介して剥離可能に貼着してなる単位ラベル片１（主ラベル）を多数配列している。単位ラベル片（１）（主ラベル）は、アイランド状に独立した形状になるように、ラベル基材に打ち抜き加工を施し周りの不要部が取り除くことにより形成される。
【００２６】
また、図１（ａ）（ｂ）に図示のように、前記単位ラベル片１（主ラベル）の配列に沿って帯状ラベル部１０、１１を設け、前記帯状ラベル部１０、１１は前記単位ラベル片１（主ラベル）と同一周期で区画されている。前記帯状ラベル部１０、１１の各区画には対応する単位ラベル片１（主ラベル）に印字された識別コード４１と関連付けられた識別コード４２、４３がそれぞれ付されている。
【００２７】
より具体的には、帯状ラベル部１０に付された識別コード４２としてはバーコードが印字された例が示されている。また、帯状ラベル部１１に付された識別コード４３としては数字が印字された例が示されている。
【００２８】
帯状ラベル部１０、１１は単位ラベル片１（主ラベル）と同一周期で区画されていて、各区画の境界には、ミシン目５に代表される折線または切取り予定線が設けられている。ミシン目５は帯状ラベル部の各区画を控えラベル片として利用する際に分離するのに有用である。あるいは分離せずに剥離紙裏面に折り返して利用することもある。
【００２９】
前記帯状ラベル部１０、１１は、単位ラベル片１（主ラベル）の配列の左右両側に設けており、左右両側に配列された帯状ラベル部１０又は帯状ラベル部１１のうち、一方は配送会社控え用のラベル部で、他方は依頼主控え用のラベルとして利用される。
【００３０】
（第２実施形態）
図２（ａ）は本発明によるラベル連続体の第２の実施形態を示す平面図、図２（ｃ）は図２（ａ）のIII−III矢視断面図、図２（ｂ）は図２（ａ）のIV−IV矢視断面図である。
第２実施形態のラベル連続体においては、図２（ａ）（ｃ）に図示のように剥離紙３の剥離面に接着剤層２を介して剥離可能に貼着してなる単位ラベル片１（主ラベル）を多数配列している。単位ラベル片（１）（主ラベル）は、アイランド状に独立した形状になるように、ラベル基材に打ち抜き加工を施し周りの不要部が取り除くことにより形成される。
【００３１】
また、図２（ａ）（ｂ）に図示のように、前記単位ラベル片１（主ラベル）の配列に沿って帯状ラベル部１０、１１を設け、前記帯状ラベル部１０、１１は前記単位ラベル片１（主ラベル）と同一周期で区画されている。
【００３２】
前記帯状ラベル部１０、１１の各区画には対応する単位ラベル片１（主ラベル）に印字された識別コード４１と関連付けられた識別コード４２、４３がそれぞれ付されている。
【００３３】
より具体的には、帯状ラベル部１０に付された識別コード４２としてはバーコードが印字された例が示されている。また、帯状ラベル部１１に付された識別コード４３としては数字が印字された例が示されている。
【００３４】
帯状ラベル部１０、１１は単位ラベル片１（主ラベル）と同一周期で区画されていて、各区画の境界には、ミシン目５に代表される折線または切取り予定線が設けられている。
【００３５】
以上は第１実施形態の構成と共通する。第２実施形態においては、さらに、剥離紙３にはミシン目６に代表される折線または切取り予定線が設けられている。ミシン目６は前記帯状ラベル部１０、１１の各区画の境界に設けられたミシン目５に重なる共通の位置に形成されている。また、剥離紙３に設けられたミシン目６の上に単位ラベル片１（主ラベル）の少なくとも一部が重なるように単位ラベル片１（主ラベル）を配置してある。
【００３６】
図３は本発明によるラベル連続体の第２実施形態の使用例を説明する図である。図３のように剥離紙３にミシン目６が設けられていることによりミシン目６から剥離紙３の一部を切断分離できる。剥離紙３をミシン目６から切断すると、図３矢印Ｑのように帯状ラベル部１０、１１を剥離紙３の裏面に折り返して貼り付けることが出来る。
【００３７】
即ち、単位ラベル片１（主ラベル）を図５のようなラベル貼着装置によって荷物５０に貼ることで、剥離紙３には控え用として利用する帯状ラベル部１０、１１、のみが残る。この控え用として利用する帯状ラベル部の一端部をミシン目５の位置から剥離紙３の裏面（剥離面と反対側の面）に折り返して貼っておくことで、不用意に帯状ラベル部が剥離紙から剥がれることが防止できる。従って、第２実施形態によれば、控え用ラベルとして利用する帯状ラベル部の保管性能が向上する。
【００３８】
なお、第１ならびに第２実施形態において共に単位ラベル片１（主ラベル）の好ましい形態の一例として角丸形のアイランド状に独立した形状のものを示した。角丸形状にする理由は、角部を丸くすることで荷物に貼られた単位ラベル片１（主ラベル）を一層剥がれ難くするためである。  また、アイランド状にする理由は、ラベル貼着装置で貼着する際にラベル貼着装置の折返し部３１において単位ラベル片１（主ラベル）を剥離紙３から剥がれ易くするためである。
【００３９】
（変形例）
本発明は以上説明した実施の形態に限定されるものではなく種々の変形が可能であり、それらも本発明の均等の範囲内である。
【００４０】
（１）例えば、単位ラベル片１（主ラベル）はラベル基材の不要部を剥離紙から取り除きアイランド状のものとしたが、アイランド状にせずに、スリット加工により不要部を出さない形状のものでもよい。
【００４１】
（２）例えば、帯状ラベル部１０、１１は、単位ラベル片１（主ラベル）の配列の左右両側に設けた例を示したが、どちらか一方の側に設けてもよい。また、帯状ラベル部を二本設けた例を示したが三本でもそれ以上でもよい。
【００４２】
（３）第２実施形態において、剥離紙３に設けられたミシン目６の上に単位ラベル片１（主ラベル）の少なくとも一部が重なるように配置した例を示したが、単位ラベル片１は必ずしも剥離紙３に設けられたミシン目６の上に重ならなくてもよい。
【図面の簡単な説明】
【００４３】
【図１】（ａ）は本発明によるラベル連続体の第１の実施形態を示す平面図、（ｃ）は（ａ）のI−I矢視断面図、（ｂ）は（ａ）のII−II矢視断面図である。
【図２】（ａ）は本発明によるラベル連続体の第２の実施形態を示す平面図、（ｃ）は（ａ）のIII−III矢視断面図、（ｂ）は（ａ）のIV−IV矢視断面図である。
【図３】は本発明によるラベル連続体の第２実施形態の使用例を説明する図である。
【図４】は従来のラベル連続体を示す平面図である。
【図５】はラベル連続体を荷物に貼着するラベル貼着装置の概念図である。
【符号の説明】
【００４４】
１  単位ラベル片（主ラベル）
２  接着剤層
３  剥離紙
５、６  ミシン目
１０、１１  帯状ラベル部
３０  ラベルロール部
３１  折返し部
４１、４２、４３  識別コード
５０  荷物
【図１】
2005115224.tif 000003
【図２】
2005115224.tif 000004
【図３】
2005115224.tif 000005
【図４】
2005115224.tif 000006
【図５】
2005115224.tif 000007